(57)【要約】【課題】波形スレート屋根の上に少ない工数で効率良く施工することができ、しかも強度に優れた太陽エネルギー利用設備取付け架台を提供する。【解決手段】Ｃ形鋼で開口部１ａを有する母屋１と、母屋１上に配設される波形スレート２と、フック部を母屋１の縁に係合させ雄ネジ部を外部に突出させてナットで締付けるフックボルトと、を有する波形スレート屋根に太陽エネルギー利用設備を取付ける取付け架台５であって、波形スレート２の上面に配設される横フレーム６と、その上に固着される縦フレーム８とを備えており、横フレーム６は、開口部６ａを有するＣ形鋼で形成すると共に開口部６ａを下向きにして横一列のフックボルトの上に被せそうして山部２ａ上に横設し、一方フックボルトのない山部２ａと横フレーム６の間に防水テープ９を介在させると共に防水テープ９を貫通させて母屋１にビス１０を締め込むことで横フレーム６を固定するようにした。【選択図】        図４
2014043720.tif 000002
【特許請求の範囲】
【請求項１】
Ｃ形鋼の開口部を横向きにして屋根裏桁方向に複数本配設される母屋と、
山部と谷部が交互に連続する波板であって前記母屋の上に直接又は下地材を介して配設される波形スレートと、
下側のフック部を前記母屋の開口部の縁に引っ掛け状態に係合させると共に上側の雄ネジ部を前記波形スレートの山部の外に突出させてナットで締め付け、そうして前記母屋と前記波形スレートとを連結するフックボルトと、を有する波形スレート屋根に太陽エネルギー利用設備を取り付けるための太陽エネルギー利用設備取付け架台であって、
前記波形スレートの上面に前記母屋と同方向に且つその母屋の上方に対応する位置に配設される複数本の横フレームと、
屋根の傾斜方向に配設されて前記横フレーム上に固着される複数本の縦フレームと、を備えており、
前記横フレームは、一側に開口部を有するＣ形鋼で形成すると共にその開口部を下向きにして横一列に並ぶ前記フックボルトの外部突出部分の上に被せ、そうして波形スレートの前記母屋上方に位置する前記山部上に横設し、
一方、前記フックボルトを有しない複数の前記山部と前記横フレームとの間に防水テープを介在させると共に前記横フレームの上から前記防水テープを貫通させて前記母屋にビスを締め込むことでその母屋に前記横フレームを固定するようにしたことを特徴とする太陽エネルギー利用設備取付け架台。
【請求項２】
前記横フレームと前記山部の高所側の接合部にシーリング材を設けてなることを特徴とする請求項１記載の太陽エネルギー利用設備取付け架台。
【請求項３】
請求項１又は２に記載の太陽エネルギー利用設備取付け架台の前記縦フレームに太陽電池モジュールを取り付けたことを特徴とする太陽光発電装置。
【発明の詳細な説明】
【技術分野】
【０００１】
本発明は、波形スレート屋根の上に太陽エネルギー利用設備を取り付けるための太陽エネルギー利用設備取付け架台及びその取付け架台に太陽電池モジュールを取り付けた太陽光発電装置に関する。
【背景技術】
【０００２】
建物の屋根構造の一種に波形スレート屋根がある。この波形スレート屋根は、図５に示したように、Ｃ形鋼の開口部１００を横向きにして屋根裏桁方向に複数本配設される母屋１０１と、山部１０２ａと谷部１０２ｂが交互に連続する波板であって母屋１０１の上に直接又は木毛板等の下地材（図示せず）を介して配設される波形スレート１０２と、母屋１０１と波形スレート１０２とを連結するフックボルト１０３と、から概略構成される。前記フックボルト１０３は、周知のように、略レの字状に曲がった下側のフック部１０３ａを母屋１０１の開口部１００の縁に引っ掛かけて係合させると共に上側の雄ネジ部１０３ｂを波形スレート１０２の山部１０２ａ上に突出させてゴムパッキン１０３ｃと座金１０３ｄを介してナット１０３ｅで締め付けるものである。
【０００３】
ところで現在、太陽エネルギーを有効利用するべく、建物の屋根に太陽電池モジュールや集熱パネルを設置する要望が高まっているが、上記した波形スレート屋根は、波形スレート１０２の強度面に不安があるため太陽エネルギー利用設備を取り付けるための取付け架台の設置が難しい。
しかし、波形スレート屋根は、工場や倉庫などに多く採用されていて広大な面積があり、しかも起伏のない単純な斜面である場合が多いため、太陽エネルギー利用設備の設置場所として大きな潜在能力を秘めている。したがって波形スレート屋根に太陽エネルギー利用設備を取り付ける取付け架台が強固且つ簡単に設置できれば、太陽エネルギーの利用促進に大きな利益をもたらし得る。
しかして、波形スレート屋根に太陽エネルギー利用設備の取付け架台を設置する技術が、例えば特許文献１に記載されている。
【先行技術文献】
【特許文献】
【０００４】
【特許文献１】特開平１０−２６６９４３号公報
【発明の概要】
【発明が解決しようとする課題】
【０００５】
特許文献１に記載された太陽エネルギー利用設備取付け架台は、図５に示したように、波形スレート１０２のフックボルト１０３の雄ネジ部１０３ｂに専用の取付け金具１０４を連結し、その取付け金具１０４によって波形スレート１０２の上面にその波形スレート１０２の波の方向と直角方向に配設した横フレーム１０５を取り付け、その横フレーム１０５上に屋根の傾斜方向に配設した縦フレーム（図示せず）を固着してなる。
しかしながら上記技術では、取付け金具１０４をフックボルト１０３に取り付ける作業と、その取付け金具１０４に横フレーム１０５を取り付ける作業が必要であるため、作業工数が多くて施工に時間が掛かる。既設の波形スレート屋根ではフックボルト１０３が錆び付いている場合があり、そのような場合にはなおさら時間が掛かる。
また、フックボルト１０３と横フレーム１０５との間に取付け金具１０４を介在させることにより、横フレーム１０５の配置と母屋１０１の配置が上下方向に重ならないため（特許文献１［図２］参照）、いかに複数の山部１０２ａに荷重を分散させたとしても、横フレーム１０５の下に波形スレート１０２以外の支えがない分、波形スレート１０２に複雑な曲げ応力が作用するおそれがある。
さらにまた、フックボルト１０３毎に取付け金具１０４が必要であるため、余分なコストが掛かる。
【０００６】
本発明は上記に鑑みなされたもので、その目的は、波形スレート屋根の上に少ない工数で効率良く施工することができ、しかも強度に優れた太陽エネルギー利用設備取付け架台及び太陽光発電装置を提供することにある。
【課題を解決するための手段】
【０００７】
上記の目的を達成するため本発明は、
Ｃ形鋼の開口部を横向きにして屋根裏桁方向に複数本配設される母屋と、
山部と谷部が交互に連続する波板であって前記母屋の上に直接又は下地材を介して配設される波形スレートと、
下側のフック部を前記母屋の開口部の縁に引っ掛け状態に係合させると共に上側の雄ネジ部を前記波形スレートの山部の外に突出させてナットで締め付け、そうして前記母屋と前記波形スレートとを連結するフックボルトと、を有する波形スレート屋根に太陽エネルギー利用設備を取り付けるための太陽エネルギー利用設備取付け架台であって、
前記波形スレートの上面に前記母屋と同方向に且つその母屋の上方に対応する位置に配設される複数本の横フレームと、
屋根の傾斜方向に配設されて前記横フレーム上に固着される複数本の縦フレームと、を備えており、
前記横フレームは、一側に開口部を有するＣ形鋼で形成すると共にその開口部を下向きにして横一列に並ぶ前記フックボルトの外部突出部分の上に被せ、そうして波形スレートの前記母屋上方に位置する前記山部上に横設し、
一方、前記フックボルトを有しない複数の前記山部と前記横フレームとの間に防水テープを介在させると共に前記横フレームの上から前記防水テープを貫通させて前記母屋にビスを締め込むことでその母屋に前記横フレームを固定するようにした太陽エネルギー利用設備取付け架台を提供する。
【０００８】
また、請求項２に記載したように、前記横フレームと前記山部の高所側の接合部にシーリング材を設けてなる請求項１記載の太陽エネルギー利用設備取付け架台を提供する。
【０００９】
また、請求項３に記載したように、請求項１又は２に記載の太陽エネルギー利用設備取付け架台の前記縦フレームに太陽電池モジュールを取り付けた太陽光発電装置を提供する。
【発明の効果】
【００１０】
本発明の取付け架台によれば、横一列に並ぶフックボルトに対し、その列上にあってフックボルトを有しない複数の山部に防水テープを貼着する工程と、Ｃ形鋼の開口部を下向きにして前記横一列に並ぶフックボルトの外部突出部分の上に被せるようにして横フレームを横設する工程と、横フレームの上から前記防水テープを貫通させて母屋にビスを締め込む工程と、によって横フレームが設置できる。したがって全体の作業工数が少ないため、施工が比較的短時間で行える。
また、フックボルトの外部突出部分をＣ形鋼の開口部で跨ぐようにしたため、フックボルトが障害になることもなく横フレームの配置と母屋の配置を上下方向に重ねることが可能になり、波形スレートの山部で受けた荷重をさらに母屋で確実に支えることができる。よってより高い強度が得られる。
さらに横フレームを取り付けるに際し、フックボルトの上に単に被せるのみで結合関係を有しないため、フックボルトが仮に錆び付いていても強度面、作業面で殆ど影響がない。
以上要するに本発明の取付け架台によれば、工場や倉庫などに多く採用されている波形スレート屋根が、太陽エネルギー利用設備の設置面として有効活用できるため、太陽エネルギーの利用を加速度的に促進させ得る効果がある。
【００１１】
また、請求項２のように横フレームと山部との高所側の接合部にシーリング材を設けることにより、当該接合部に雨水が掛かっても、屋根の傾斜と山部の傾斜によりシーリング材を境にして左右の谷部に振り分けられてそのまま流下するから、横フレーム内のビス回りに雨水が殆ど到達しない。したがって防水テープによるビス回りの防水が仮に不完全であったとしても水漏れ等のおそれが殆どない。
【図面の簡単な説明】
【００１２】
【図１】太陽電池モジュールを設置した状態を示す波形スレート屋根の一部切欠要部平面図である。
【図２】波形スレートの波と直交する方向に切断した状態を示すスレート屋根の要部断面図である。
【図３】図２のＡ−Ａ線断面図である。
【図４】図２のＢ−Ｂ線断面図である。
【図５】従来技術を示す一部を断面にした分解斜視図である。
【発明を実施するための形態】
【００１３】
以下に本発明の実施の形態を図面を参照しつつ説明する。
【００１４】
［波形スレート屋根］
上記のように波形スレート屋根は、Ｃ形鋼の開口部１ａを横向きにして屋根裏桁方向に複数本配設される母屋１と、山部２ａと谷部２ｂが交互に連続する波板であって母屋１の上に直接又は木毛板等の下地材（図示せず）を介して配設される波形スレート２と、母屋１と波形スレート２とを連結するフックボルト３と、から概略構成される。
【００１５】
前記フックボルト３は、略レの字状に曲がった下側のフック部３ａを母屋１の開口部１ａの縁に釣り針状に引っ掛かけて係合させると共に上側の雄ネジ部３ｂを波形スレート２の山部２ａに突出させてゴムパッキン３ｃと座金３ｄを介してナット３ｅで締め付けるものである。
【００１６】
［太陽エネルギー利用設備］
実施形態の太陽エネルギー利用設備は、太陽電池モジュール４で発電する太陽光発電装置であり、上記の波形スレート屋根の上に、その波形スレート屋根に設置した取付け架台５を介して複数枚の太陽電池モジュール４，４…を並べたものである。
【００１７】
［取付け架台］
前記取付け架台５は、波形スレート２の上面に母屋１と同方向に且つその母屋１の上方に対応する位置に配設される複数本の横フレーム６，６…と、屋根の傾斜方向に配設されて横フレーム６上に例えば刃付きビス（テクスビス）等のビス７で固着される複数本の縦フレーム８，８…と、を備えている。
【００１８】
前記横フレーム６は、一側に開口部６ａを有するＣ形鋼で形成されており、その開口部６ａを下向きにして横一列に並ぶフックボルト３，３…の外部突出部分の上にすっぽり被せ、そうしてフックボルト３との干渉を回避しつつ波形スレート２の母屋１上方の山部２ａ，２ａ…上に横設されている。
なお、横フレーム６のＣ形鋼は、角形Ｃ字状であって開口部６ａの両横に細幅の帯板部６ｂ，６ｂが形成されており、この帯板部６ｂ，６ｂによって山部２ａに作用する横フレーム６の荷重を適宜分散させることができる。したがって、横フレーム６の荷重が一部に集中して山部２ａが破損する、というようなリスクが殆どない。
一方、横フレーム６は、フックボルト３を有しない山部２ａ、例えば実施形態のようにフックボルト３を有する山部２ａの片隣の山部２ａと横フレーム６との間にブチルゴム等の防水テープ９を介在させると共に横フレーム６の上から防水テープ９を貫通させて母屋１に例えば刃付きビス（テスクビス）等のビス１０を締め込むことで固定されている。
さらに横フレーム６は、山部２ａとの高所側の接合部にシリコン等のシーリング材１１（図４参照）を設けてなる。そうすることにより、横フレーム６と山部２ａの高所側の接合部に雨水が掛かっても、屋根の傾斜と山部２ａの傾斜によりシーリング材１１を境にして左右の谷部２ｂに振り分けられてそのまま流下する。したがって、横フレーム６内のビス１０回りに雨水が殆ど到達しないため、防水テープ９によるビス１０回りの防水が仮に不完全であったとしても水漏れ等のおそれが殆どない。
【００１９】
［施工方法］
以上のように構成される取付け架台５は、横一列に並ぶフックボルト３，３…に対し、その列上にあってフックボルト３を有しない片隣の山部２ａ，２ａ…に例えばブチルゴム製で長方形の防水テープ９を貼着する工程と、Ｃ形鋼の開口部６ａを下向きにして横一列に並ぶフックボルト３，３…の外部突出部分の上にすっぽり被せ、そうして横フレーム６を山部２ａ上に横設する工程と、横フレーム６の上から防水テープ９を貫通させて母屋１にビス１０を締め込む工程と、横フレーム６と山部２ａの少なくとも高所側の接合部にシーリング材１１を注入してシールする工程と、こうして設置した横フレーム６上に屋根の傾斜方向、すなわち横フレーム６と直交する方向に配設したＣ形鋼製の縦フレーム８をビス７で固定する工程と、によって施工することができる。
そして、こうして波形スレート屋根の上に取り付けた取付け架台５に対し、縦フレーム８上に複数の太陽電池モジュール４，４…を並べて固定金具１２（図４参照）で固定することにより太陽光発電装置が完成する。
【００２０】
以上、本発明を実施の形態について説明したが、もちろん本発明は上記実施形態に限定されるものではない。例えば、実施形態では波形スレート２を母屋１の上に直接配設したが、母屋１と波形スレート２の間に木毛板等の下地材（図示せず）を介在させるようにしてもよい。
また、実施形態では、取付け架台５に太陽電池モジュール４を取り付けるようにしたが、その取付け架台５に太陽熱集熱パネル（図示せず）を取り付けて、太陽熱利用温水器や太陽熱利用暖房装置等の太陽熱利用設備にしてもよい。
また、実施形態では、横フレーム６と山部２ａの高所側の接合部にシーリング材１１を設けるようにしたが、防水テープ９の防水効果が高い場合にはシーリング材１１を設けなくてもよい。
【符号の説明】
【００２１】
１  …母屋
１ａ  …開口部
２  …波形スレート
２ａ  …山部
２ｂ  …谷部
３  …フックボルト
３ａ  …フック部
３ｂ  …雄ネジ部
３ｅ  …ナット
４  …太陽電池モジュール
５  …太陽エネルギー利用設備取付け架台
６  …横フレーム
６ａ  …開口部
８  …縦フレーム
９  …防水テープ
１０  …ビス
１１  …シーリング材
【図１】
2014043720.tif 000003
【図２】
2014043720.tif 000004
【図３】
2014043720.tif 000005
【図４】
2014043720.tif 000006
【図５】
2014043720.tif 000007